(57)【要約】      （修正有）【課題】小形で視認性が高く、また使用形態を自由に変更することができる発光機能付反射材を提供する。【解決手段】持ち物又は身体に選択的に着脱可能に設けられた、係止部材であるゴムベルト３４と紐部材を備える。再帰性の反射部材１８と、自発光するＬＥＤ２０と、ＬＥＤ２０を点滅させる回路基板と、ＬＥＤ２０を発光させる電源を有する。反射部材１８とＬＥＤ２０、回路基板、及び電源はケース状の本体１２に設けられている。本体１２を収容する透明な袋部材２２を有し、袋部材２２を持ち物に取り付ける環状のゴムベルト３４と、本体１２を身体に取り付ける紐部材とを、選択的に用いる。【選択図】図１
0003148749.tif 000002
【実用新案登録請求の範囲】
【請求項１】
持ち物又は身体に選択的に着脱可能に設けられた係止部材と、再帰性の反射部材と、自発光するＬＥＤと、前記ＬＥＤを点滅させる回路基板と、前記ＬＥＤを発光させる電源が設けられていることを特徴とする発光機能付反射材。
【請求項２】
前記反射部材と前記ＬＥＤ、前記回路基板、及び前記電源はケース状の本体に設けられ、前記係止部材に前記本体を収容する透明な袋部材が設けられ、前記係止部材は、前記袋部材を持ち物に取り付ける環状のゴムベルトと前記本体を身体に取り付ける紐部材とを選択的に取付可能に設けられていることを特徴とする請求項１記載の発光機能付反射材。
【請求項３】
前記ＬＥＤは、前記反射部材の周縁部に複数個が設けられ、前記複数個のＬＥＤは点滅を繰り返すことを特徴とする請求項１または２記載の発光機能付反射材。
【請求項４】
前記持ち物はランドセルであり、前記本体を収容した前記袋部材は、前記ランドセルの収容部の開口を閉鎖する蓋部材の外側面に位置し、前記ゴムベルトを前記蓋部材に嵌合させて着脱自在に取り付けられることを特徴とする請求項２記載の発光機能付反射材。
【請求項５】
前記本体は、前記反射部材と前記ＬＥＤ、前記回路基板、及び前記電源を収容するプラスチックケースから成り、前記反射部材と前記ＬＥＤ、前記回路基板、及び前記電源が前記本体に収納され、前記プラスチックケースには前記紐部材を取り付ける取付孔が形成されていることを特徴とする請求項２記載の発光機能付反射材。
【考案の詳細な説明】
【技術分野】
【０００１】
この考案は、鞄等の持ち物に取り付け可能な発光機能付反射材に関する。
【背景技術】
【０００２】
従来、夜間の交通事故を防ぐために、車両のライトの光が当たると反射する反射材を身につけて視認性を向上させる部材がある。このような反射材は、板やシートに再帰反射塗布料が塗布されて作られ、衣服や、鞄等の小物に粘着材等で取り付けて使用されている。
【０００３】
また、衣服や小物に直接反射材を取り付けているものもある。例えば、特許文献１に開示されている幼稚園児用ランドセルは、ランドセル型式の鞄において、蓋体の表面に光を反射する繊維で縫込んだマークが設けられている。
【特許文献１】実開平５−９３２４１号公報
【考案の開示】
【考案が解決しようとする課題】
【０００４】
上記背景技術の場合、再帰反射塗料は車両のライト等の光が当たらないと光らないため、光が届く距離まで近づかなければ反射材が視認されないという問題がある。特に雨天等の場合は視界が悪く、より近づかないと視認されないため危険であった。なお、従来の反射材の場合、全日本交通安全協会の認定を取るためには、５．８ｃｍ×５．８ｃｍの大きさが必要であり、大きすぎて使用しにくく、外見も良好では無かった。そこで、より小形で視認性が良好な反射材が求められている。
【０００５】
この考案は、上記背景技術の問題点に鑑みてなされたものであり、小形で視認性が高く、また使用形態を自由に変更することができる発光機能付反射材を提供することを目的とする。
【課題を解決するための手段】
【０００６】
本考案は、持ち物又は身体に選択的に着脱可能に設けられた係止部材と、再帰性の反射部材と、自発光するＬＥＤと、前記ＬＥＤを点滅させる回路基板と、前記ＬＥＤを発光させる電源が設けられている発光機能付反射材である。
【０００７】
また、前記反射部材と前記ＬＥＤ、前記回路基板、及び前記電源はケース状の本体に設けられ、前記係止部材に前記本体を収容する透明な袋部材が設けられ、前記係止部材は、前記袋部材を持ち物に取り付ける環状のゴムベルトと前記本体を身体に取り付ける紐部材とを選択的に取付可能に設けられているものである。
【０００８】
前記ＬＥＤは、前記反射部材の周縁部に複数個が設けられ、前記複数個のＬＥＤは点滅を繰り返すものである。また、前記ＬＥＤは、並べられた順番に点滅してもよく、前記ＬＥＤの色は、隣同士で異なる色でも良い。
【０００９】
前記持ち物はランドセルであり、前記本体を収容した前記袋部材は、前記ランドセルの収容部の開口を閉鎖する蓋部材の外側面に位置し、前記ゴムベルトを前記蓋部材に嵌合させて着脱自在に取り付けられるものである。
【００１０】
前記本体は、前記反射部材と前記ＬＥＤ、前記回路基板、及び前記電源を収容するプラスチックケースから成り、前記反射部材と前記ＬＥＤ、前記回路基板、及び前記電源が前記本体に収納され、前記プラスチックケースには前記紐部材を取り付ける取付孔が形成されている。前記取付孔には、吊下げ用に環状の紐部材が取り付けられ、前記紐部材は途中で切断され、切断された一対の端部には互いに連結する連結具が設けられている。前記連結具は、前記紐部材に一定の力が働くと連結が解除されるものであると良い。
【考案の効果】
【００１１】
本考案の発光機能付反射材は、自発光して視認性が高く、離れた位置の車両から確認することができるとともに、車のライトが当たらないところにいる場合も良好に視認され、夜間の交通事故を確実に防ぐことができる。また、簡単な操作で鞄等の持ち物に着脱自在に取り付けられ、持ち物を持たないときは首から下げて身に付けることができ、使用形態を変更していろいろな場面に対応することができる。
【００１２】
さらに、請求項２記載の考案の発光機能付反射材のように、袋部材に入れて保護することにより、防水性や耐久性の高いものとすることができる。
【考案を実施するための最良の形態】
【００１３】
以下、この考案の実施形態について図面に基づいて説明する。図１〜図４はこの考案の一実施形態を示すもので、この実施形態の発光機能付反射材１０は、薄い矩形の本体１２が設けられている。本体１２は、透明なプラスチックケース１４から成り、内側に矩形の収容空間を有する収容部１４ａと、収容空間１４ａの一辺の横に一定の幅で突出する吊下げ部１４ｂが設けられている。吊下げ部１４ｂの中心には取付孔１６が設けられ、取付孔１６は隣接する収容部１４ａの辺に平行な方向に長い長丸に形成されている。
【００１４】
プラスチックケース１４の、収容部１４ａ内側の収容空間には、反射部材１８が設けられている。反射部材１８は、例えば板部材でありプラスチックケース１４の表側面に対面する面に再帰反射塗料が塗布されたものである。反射部材１８の４箇所の角部と上下の辺の中心に、ＬＥＤ２０が合計６個設けられている。反射部材１８の裏側には、ＬＥＤ２０を点滅させる図示しない回路基板と電源が設けられている。電源は、例えばボタン電池である。ＬＥＤ２０は、例えば互いに異なる色で発光し、回路基板に設けられた制御回路により、並んでいる順番に回転するように点滅を繰り返す。プラスチックケース１４の一部には、押圧によりオン・オフを繰り返す構造のスイッチが設けられ、スイッチを入れると回路基板に通電されてＬＥＤ２０が発光するものである。
【００１５】
発光機能付反射材１０には、本体１２を収容する袋部材２２が設けられている。袋部材２２は、２枚の透明でフレキシブルな合成樹脂シートを重ねて熱圧着して作られている。袋部材２２の中心には、本体１２を入れる収容部２４が設けられ、収容部２４の左右の両脇には一定幅で側方へ突出する保持部２６が設けられ、保持部２６の中心には、保持部２６の突出方向と直交する方向に長細い矩形の挿通孔２８がそれぞれ設けられている。袋部材２２の下端縁部は開口部３０となり、開口部３０は収容部２４に連通している。開口部３０の開口縁部にはファスナ３２が設けられ、ファスナ３２のスライダ３３の移動により開閉する。スライダ３３は、図１、図２において右の端部に位置するときファスナ３２が閉じ、左の端部に位置するときファスナ３２が開く。袋部材２２の一方の側面は表側面２２ａであり、図１、図２において表側面２２ａが紙面表側となり、袋部材２２の表側面２２ａの左下端部に「あける」という文字が印刷され、右下端部に「しめる」という文字が印刷されている。
【００１６】
袋部材２２の一対の挿通孔２８には、平ゴムで作られたゴムベルト３４が挿通され、ゴムベルト３４の両端部は互いに連結されて環状になっている。ゴムベルト３４は、例えば後述するランドセル３６の、蓋部材４２の延出方向に交差して、蓋部材４２を一周して適度な緊締力で締め付けて係止される長さである。ゴムベルト３４は、一方の挿通孔２８に、袋部材２２の表側面２２ａから挿通されて裏側面２２ｂを通過して他方の挿通孔２８から表側面２２ａへ引き出されている。
【００１７】
次に、この実施形態の発光機能付反射材１０の使用方法について説明する。袋部材２２は、ファスナ３２のスライダ３３を左へ移動して開き、開かれた開口部３０から本体１２を袋部材２２の中へ入れる。このとき、袋部材２２の表側面２２ａに、本体１２の反射部材１８が対面するようにする。ファスナ３２のスライダ３３を右へ移動して閉じる。
【００１８】
次に、図１に示すように、発光機能付反射材１０をランドセル３６に取り付けて使用する例について説明する。ここでランドセル３６について説明する。ランドセル３６は、物品を収容する収容部３８が設けられ、収容部３８は上方に開口部３８ａが設けられた箱形であり、収容部３８の背面３８ｂの上部には、一対の肩ベルト４０が設けられている。ランドセル３６の収容部３８には、開口部３８ａを覆う蓋部材４２が設けられている。そして発光機能付反射材１０は、蓋部材４２の先端縁部４２ａの近傍に発光機能付反射材１０の本体１２を入れた袋部材２２が位置するように、ゴムベルト３４を蓋部材４２の延出方向と直交するように、蓋部材４２を一周させて取り付ける。これにより、袋部材２２の表側面２２ａが、蓋部材４２側とは反対側に位置して、蓋部材４２の外側を向いてにセットされる。
【００１９】
また、この実施形態の発光機能付反射材１０は、図３、図４に示すようにランドセル３６から外して使用者の首に紐部材４４をかけて身に付けてもよい。ここで、紐部材４４について説明する。紐部材４４は、一本の端部同士に互いに係合する連結具４６が設けられ、環状になっている。連結具４６は、紐部材４４に一定の力が働くと連結が解除されるものである。紐部材４４にはクリップ４８が取り付けられ、クリップ４８近傍の紐部材４４はクリップ４８を中心に二つ折りして１個の環部材５０に挿通されて束ねられている。そして発光機能付反射材１０は、本体１２を袋部材２２から取り出し、本体１２の、プラスチックケース１４の吊下げ部１４ｂに形成されている取付孔１６に、クリップ４８を、先端を差し込むようにして挟持する。これにより、紐部材４４が本体１２に取り付けられる。
【００２０】
この実施形態の発光機能付反射材１０によれば、ＬＥＤ２０が確実に自発光して視認性が高く、また使用形態を自由に変更することが可能である。車両のライト等の光が当たらなくても発光するため、約７０ｍの距離から視認することができ、夜間の交通事故を防ぐ効果がある。また、小形化と高い視認性の向上という、相反する課題を達成して良好な効果を得ることができる。
【００２１】
さらに、本体１２を入れた袋部材２２をゴムベルト３４により簡単な操作で市販のランドセル３６に着脱自在であり、特別な係止具が不要で、すでに所有しているランドセル３６に取り付けることができる。ランドセル３６を持たないときは、袋部材２２から本体１２を取り出して紐部材４４を取り付けて首に紐部材４４をかけて身に付けることができる。例えば、登校と下校の際はランドセル３６に付け、帰宅後はランドセル３６から本体１２だけ外して首から下げたり、他の鞄に付け替えたりして、塾や遊びに外出することができる。夕方になり暗くなっても、視認性が高いため安全である。
【００２２】
また、袋部材２２の下端縁部が開口部３０となり、防水性が高く、雨や雪が降っても故障が発生せず耐久性が高いものとなる。ファスナ３２の近傍に、「しめる」「あける」という文字が印刷されているため、小学生でも簡単に袋部材２２の上下方向と、袋部材２２のファスナ３２のスライダ３３を移動する方向がわかり、自分でファスナ３２を開閉して本体１２を出し入れすることができる。
【００２３】
なお、この考案の発光機能付反射材は、上記実施形態に限定されるものではなく、本体の形状や、反射部材とＬＥＤの形状や数、配置等、自由にデザインすることができる。袋部材やゴムベルトの形状や長さも、本体や取り付ける持ち物に合わせて適宜変更可能である。袋部材に、ゴムベルト以外の係止手段が設けられてもよい。本体にも、クリップが付いた紐部材以外に、キーホルダー式の留め具等を取付孔に取り付けて使用してもよく、またクリップが付いていない紐部材を本体の取付孔に挿通して取り付けても良い。本体や袋部材に、子供用のイラストを設けてもよい。発光機能付反射材を取り付ける持ち物は、ランドセル以外に手提げ鞄や雨具等何でも良い。
【図面の簡単な説明】
【００２４】
【図１】この考案の第一実施形態の発光機能付反射材をランドセルの蓋部材に取り付けた使用状態を示す斜視図である。
【図２】この実施形態の発光機能付反射材の袋部材と本体の正面図である。
【図３】この実施形態の発光機能付反射材の本体に紐部材を取り付けた状態を示す斜視図である。
【図４】この実施形態の発光機能付反射材の、首から下げた使用状態を示す正面図である。
【符号の説明】
【００２５】
１０  発光機能付反射材
１２  本体
１４  プラスチックケース
１６  取付孔
１８  反射部材
２０  ＬＥＤ
２２  袋部材
２４  収容部
２６  保持部
２８  挿通孔
３２  ファスナ
３４  ゴムベルト
３６  ランドセル
４２  蓋部材
４４  紐部材
【図１】
0003148749.tif 000003
【図２】
0003148749.tif 000004
【図３】
0003148749.tif 000005
【図４】
0003148749.tif 000006